(57)【特許請求の範囲】
【請求項１】
バーコード又は２次元コードに光を照射して前記バーコード又は前記２次元コードを撮像し、データを送信及び受信して表示する携帯端末に着脱可能な携帯端末用筐体であって、
前記バーコード又は前記２次元コードに光を照射する照射部と、
前記照射部の電源と、
前記携帯端末の撮像部の周りに配置される支持手段と、
を備えることを特徴とする携帯端末用筐体。
【請求項２】
請求項１に記載の携帯端末用筐体であって、前記支持手段は２本以上の支持脚であることを特徴とする携帯端末用筐体。
【請求項３】
請求項１に記載の携帯端末用筐体であって、前記支持手段は前記撮像部の周りを囲む筒状であることを特徴とする携帯端末用筐体。
【請求項４】
請求項３に記載の携帯端末用筐体であって、前記照射部は、前記支持手段の円筒内に角度を持つように設置し、円筒内壁面には、前記照射部の上側に光を鏡面反射する反射材又は前記照射部の下側に光を拡散反射する反射材もしくはその両方を備えることを特徴とする携帯端末用筐体。
【請求項５】
請求項１乃至４のいずれか１項に記載の携帯端末用筐体であって、前記支持手段は撮像対象物の容器の外形に沿って密着することを特徴とする携帯端末用筐体。
【請求項６】
請求項１乃至５のいずれか１項に記載の携帯端末用筐体であって、前記電源は前記支持手段と同じ高さであることを特徴とする携帯端末用筐体。
【請求項７】
請求項１乃至６のいずれか１項に記載の携帯端末用筐体であって、前記支持手段は前記照射部から照射される照射光の焦点距離以上の高さであることを特徴とする携帯端末用筐体。
【請求項８】
請求項１乃至７のいずれか１項に記載の携帯端末用筐体であって、前記支持手段は前記照射される光の焦点距離以上の高さで調整可能であることを特徴とする携帯端末用筐体。
【請求項９】
請求項１乃至８のいずれか１項に記載の携帯端末用筐体であって、前記照射部の光は紫外線であり、前記撮像部の外側にレンズと、フィルターと、を備えることを特徴とする携帯端末用筐体。
【請求項１０】
請求項９に記載の携帯端末用筐体であって、前記フィルターは、波長が４００ｎｍ以下の受光波を透過させないことを特徴とする携帯端末用筐体。
【請求項１１】
請求項１乃至１０のいずれか１項に記載の携帯端末用筐体を装着した携帯端末。
【発明の詳細な説明】
【技術分野】
【０００１】
本発明は可視又は不可視のバーコードや２次元コードを携帯端末で精度良く読み取るための携帯端末用筐体及びそれを装着した携帯端末に関する。
【背景技術】
【０００２】
近年、製品等にはバーコードや、ＱＲコード（登録商標）に代表される２次元コードが印字されており、消費者は製品の情報を携帯端末で読み取ることが可能となっている。
【０００３】
また、飲料や化粧品などの製品の容器には、製造ロット番号、製造工場、製造年月日、賞味期限（消費期限）など、消費者が必要な情報が文字情報として印字されている。それにより、製品管理者は、消費者から製品の不具合について問い合わせがあった場合に、製造ロットを単位としてその最終製品のトレーサビリティ(流通過程を追跡するトレースフォワード、生産工程まで遡るトレースバック）が可能である。しかし、製品管理者は消費者から製品の不具合について問い合わせがあった場合に、それが製造ロット単位の組織不良なのか個別不良なのか判定することが困難であるため、近年、製品の個体について個別識別情報を付与して、個別管理できる管理システムが開発されている（特許文献１，２）。
【０００４】
特許文献１、２には、製品の製造工程の種々のデータとリンクした個体識別情報を製品の容器に付与して、商品を個別管理する商品管理システムの一例が記載されている。この商品管理システムでは、容器の個体を識別するための個体識別情報を容器ごとに付与することで、最終製品を容器ごとに個別管理できる。容器や最終製品を個別管理すると、最終製品が消費者に販売された後であっても必要に応じて容器や最終製品の生産状態や検査結果をトレーサビリティ可能であり、例えば、消費者からの苦情に速やかに対応できるなど、様々な利点がある。
【先行技術文献】
【特許文献】
【０００５】
【特許文献１】特開２０１２−７９０２０号公報
【特許文献２】特開２０１２−７９０２４号公報
【発明の概要】
【発明が解決しようとする課題】
【０００６】
製品に印字されているバーコードや２次元コード（可視）は、消費者が携帯端末で読み取る際に、手ぶれが原因で、又は様々容器の形態に印字されているため読み取りが困難である場合に、精度よく読み取れないことが多い。特に、暗い場所では、バーコードや２次元コード（可視）に照明をあてないと、精度よく読み取ることができない。
【０００７】
また、特許文献１、２に記載の個体識別情報は２次元コードに記号化され、また製品の外観を損なわないようにするため、不可視インク（ステルスインク）で印字されている。不可視インクで印字された２次元コードは、可視光に対しては透明で、紫外線または赤外線が照射されたときに、読み取られる。そのため、最終製品が置かれる販売店等で、製品を管理する者が必要に応じて個体識別情報を読み取りたいときに、可視光を遮光し、紫外線または赤外線を照射する必要があるため、容易に読み取ることができない。
【０００８】
本発明の目的は、可視又は不可視インク（ステルスインク）で印字されている２次元コードを携帯端末で、容易にかつ精度よく読み取るための携帯端末用筐体及びそれを装着した携帯端末を提供することである。
【課題を解決するための手段】
【０００９】
前記課題を解決する第１の発明の携帯端末用筐体は、バーコード又は２次元コードに光を照射して前記バーコード又は前記２次元コードを撮像し、データを送信及び受信して表示する携帯端末に着脱可能な携帯端末用筐体であって、前記バーコード又は前記２次元コードに光を照射する照射部と、前記照射部の電源と、前記携帯端末の撮像部の周りに配置される支持手段と、を備えることを特徴とする。
【００１０】
前記課題を解決する第２の発明の携帯端末用筐体は、第１発明の携帯端末用筐体において、前記支持手段は２本以上の支持脚であることを特徴とする。
【００１１】
前記課題を解決する第３の発明の携帯端末用筐体は、第１発明の携帯端末用筐体において、前記支持手段は前記撮像部の周りを囲む筒状であることを特徴とする。
【００１２】
前記課題を解決する第４の発明の携帯端末用筐体は、第３発明の携帯端末用筐体において、前記照射部は、前記支持手段の円筒内に角度を持つように設置し、円筒内壁面には、前記照射部の上側に光を鏡面反射する反射材又は前記照射部の下側に光を拡散反射する反射材もしくはその両方を備えることを特徴とする。
【００１３】
前記課題を解決する第５の発明の携帯端末用筐体は、第１発明から第４発明のいずれかに記載の携帯端末用筐体において、前記支持手段は撮像対象物の容器の外形に沿って密着することを特徴とする。
【００１４】
前記課題を解決する第６の発明の携帯端末用筐体は、第１発明から第５発明のいずれかに記載の携帯端末用筐体において、前記電源は前記支持手段と同じ高さであることを特徴とする。
【００１５】
前記課題を解決する第７の発明の携帯端末用筐体は、第１発明から第６発明のいずれかに記載の携帯端末用筐体において、前記支持手段は前記照射部から照射される照射光の焦点距離以上の高さであることを特徴とする。
【００１６】
前記課題を解決する第８の発明の携帯端末用筐体は、第１発明から第７発明のいずれかに記載の携帯端末用筐体において、前記支持手段は前記照射される光の焦点距離以上の高さで調整可能であることを特徴とする。
【００１７】
前記課題を解決する第９の発明の携帯端末用筐体は、第１発明から第８発明のいずれかに記載の携帯端末用筐体において、前記照射部の光は紫外線であり、前記撮像部の外側にレンズと、フィルターと、を備えることを特徴とする。
【００１８】
前記課題を解決する第１０の発明の携帯端末用筐体は、第１発明から第９発明のいずれかに記載の携帯端末用筐体において、前記フィルターは、波長が４００ｎｍ以下の受光波を透過させないことを特徴とする。
【００１９】
前記課題を解決する第１１の発明は、第１発明から第１０発明のいずれかに記載の携帯端末用筐体を装着したことを特徴とする携帯端末である。
【発明の効果】
【００２０】
本発明によれば、可視又は不可視インク（ステルスインク）で印字されているバーコード又は２次元コードを携帯端末で、容易にかつ精度よく読み取るための携帯端末用筐体及びそれを装着した携帯端末を提供することができる。
【図面の簡単な説明】
【００２１】
【図１】本発明の一実施例である携帯端末筐体を装着した携帯端末の背面斜視図である。
【図２】図１（Ａ）に示す携帯端末用筐体を装着した携帯端末のＡ方向断面図である。
【図３】図２に示す支持手段の（Ａ）底面図と、（Ｂ）正面図の断面図である。
【図４】図１に示す携帯端末用筐体を装着した携帯端末の内部の構成を示すブロック図である。
【図５】図１（Ａ）に示す携帯端末用筐体を装着した携帯端末の使用イメージ図である。
【図６】図１（Ａ）に示す携帯端末用筐体を装着した携帯端末が通信する外部システムのイメージ図である。
【図７】図６に示す携帯端末に表示される（Ａ）２次元コード画像と（Ｂ）製品情報の表示画像のイメージ図である。
【発明を実施するための形態】
【００２２】
以下、本発明の実施の形態（以下実施例と記す）を、図面に基づいて説明する。なお、以下の図において、共通する部分には同一の符号を付しており、同一符号の部分に対して重複した説明を省略する。
【００２３】
図１は本発明の一実施例である携帯端末用筐体を装着した携帯端末の背面の斜視図である。ここで、携帯端末の表示部を有する側を表面、撮像する側を背面とする。
【００２４】
図１（Ａ）は支持手段が携帯端末１１０の撮像部１１３の周りを囲む円筒状の支持手段１３０ａである場合の携帯端末用筐体１２０を示し、図１（Ｂ）は支持手段が支持脚１３０ｂである場合の携帯端末用筐体１２０を示す。本実施例では、携帯端末としてスマートフォン又はアイフォン型の形状を持つ携帯端末を例にして説明するが、撮像部１１３を有する携帯端末であれば、いかなる形状の携帯端末であってもよい。
【００２５】
また、本実施例では、図１に示すように携帯端末１１０の撮像部１１３が携帯端末の背面の中央上部に設置されているが、携帯端末１１０の撮像部１１３の位置はこの場所に限定されず、図１の携帯端末１１０の背面、左上部などいかなる位置に設置されていてもよい。
【００２６】
図１（Ａ）又は（Ｂ）に示すように、携帯端末用筐体１２０は、携帯端末１１０の撮像部１１３を覆うように装着されている。携帯端末用筐体１２０は、照射部１２３と、照射部１２３の電源１２２（バッテリー）と、電源収納部１３１と、電源の入力部１２１と、フィルター１２４と、レンズ１２５と、支持手段１３０ａ，１３０ｂから構成される。図１に示す撮像部１１３は、携帯端末１１０本体のカメラ部分を示している。
【００２７】
携帯端末用筐体１２０は、通常のスマートフォンケースに使用されるようなハードケース又はソフトケースの材質からなる筐体であり、携帯端末１１０の背面を覆うようにして、容易に嵌めこむことができる。
【００２８】
照射部１２３は、紫外線を照射する紫外線照射手段（例えば、紫外線ＬＥＤ）又は可視光線を照射する可視光線照射手段（例えば、白色ＬＥＤ）、もしくはその両方の照射手段から構成される。紫外線照射手段を備えることで、可視光下では視認することができないステルスインクで書かれた２次元コードを、紫外線の照射により発光させ可視化させて読みとることができる。また、可視光線照射手段を備えることで、通常の視認できる２次元コードを暗室などの暗い場所でも精度よく読みとることができる。また、両方の照射手段を備えることで、視認できるバーコード又は２次元コードと、視認できない２次元コードのどちらを読み取る場合においても、場合によって例えばスイッチ（図示せず）を設けて使い分けて、精度よくバーコード又は２次元コードを読み取ることができる。
【００２９】
本実施例では、照射部１２３が紫外線照射手段（以降、紫外線ＬＥＤ１２３）からのみ構成され、２次元コードを読み取る場合について主に説明するが、本発明はそれに限定されるものではなく、可視光線照射手段を用いて可視のバーコード又は２次元コードを読み取ってもよい。
【００３０】
また、紫外線ＬＥＤ１２３は、図１（Ｂ）に示すように携帯端末用筐体１２０上に直接、設置してもよいし、図１（Ａ）に示すように支持手段１３０ａ上に設置してもよい。本実施例では、紫外線ＬＥＤ１２３を支持手段１３０ａ内に設置するが、その配置については後述する。
【００３１】
電源１２２は、照射部１２３に電力を供給する。電源１２２は図１（Ａ）又は（Ｂ）に示すように、電源収納部１３１に収納される乾電池又はリチウムイオン電池でもよいし、機器組み込み型の充電式電池でもよく、いかなる電池でもよい。図１では、電源１２２が電源収納部１３１に収納されている様子を示しており、電源収納部１３１の蓋は図示していないが、実際に使用する際には、電源収納部１３１には蓋がついており、本実施例では電源１２２が外部から視認できない態様とする。電源１２２が外部から視認できる態様としてもよい。
【００３２】
入力部１２１は、例えばスイッチであり、オンとオフの切り替えができ、オンのときに電源１２２から照射部１２３に電力が供給される。ユーザは、２次元コードを読み取る際に、入力部１２１をオンにして照射部１２３（紫外線ＬＥＤ）の光を照射する。入力部１２１は、オンとオフの切り替えができれば、押ボタン式、スライド式などいかなる方法を用いてもよい。
【００３３】
フィルター１２４とレンズ１２５についての詳細は後述するが、照射部１２３の内側に配置され、照射部１２３から照射された紫外線の受光波をフィルター１２４が透過させ、レンズ１２５が集光させ、携帯端末１１０の撮像部１１３に送る。本実施例では、フィルター１２４には、波長が４００ｎｍ以下の受光波をカットする（透過させない）機能を持つフィルターを使用する。受光波の波長が４００ｎｍ以下の場合、携帯端末１１０が受光できるレベルを超えてしまう可能性があり、正確に読み取ることができなくなるからである。
【００３４】
支持手段は、図１（Ａ）に示すように携帯端末１１０の撮像部１１３の周りを囲む筒状の支持手段１３０ａであってもよいし、図１（Ｂ）に示すように２本以上の支持脚状の支持手段１３０ｂ（以下、支持脚１３０ｂ）であってもよい。図１（Ａ）では、支持手段１３０ａが撮像部１１３の周りを囲む円筒の形状であるが、この形状に限定されず、三角柱や四角柱などの角筒の形状であってもよい。支持手段１３０ａが撮像部１１３の周りを囲む筒である場合には、その筒の内部では外側の可視光を遮光することができる。視認できないステルスインクで書かれた２次元コードを読み取る際に、支持手段１３０ａを２次元コード上に接触させ、外側の可視光を遮光し、紫外線を照射して、効率よく２次元コードを読み取ることができる。
【００３５】
このとき支持手段１３０ａを、２次元コードが印字された撮像対象物の容器の外形に沿って密着させると、より外側の可視光を遮光する効果が高くなる。支持手段１３０ａの高さは、照射部１２３から照射される照射光の焦点距離以上のであることが好ましく（例えば３０ｍｍ以上）、更に高さをある範囲内（例えば３０ｍｍから５０ｍｍ）で調整できることが好ましい。これにより、２次元コードの大きさによって焦点距離の調整ができるようになる。例えば、小さい容器に印字された小さい２次元コードの読み取りでは携帯端末１１０を近づけ、大きい容器に印字された大きい２次元コードの読み取りは携帯端末１１０を離す必要があるが、支持手段１３０ａの高さを調整することで、様々な大きさの２次元コードにおいても支持手段１３０ａを密着させて読み取ることが可能となる。
【００３６】
支持手段１３０ａの高さを調整するためには、例えば支持手段１３０ａを高さ調整ネジのように携帯端末用筐体１２０に嵌めこむ構造とし、調整する方法がある。この場合、支持手段１３０ａは、携帯端末用筐体１２０から取り外すこともできる。
【００３７】
また、焦点距離を調整する別の方法として、自動で焦点距離を調整する機能を持つリキッドレンズをレンズ１２５に使用してもよい。
【００３８】
図１（Ｂ）は、支持手段が２本以上の支持脚１３０ｂである場合の携帯端末用筐体１２０を示す。支持脚１３０ｂ以外の構成は、図１（Ａ）と同様であるため、説明を省略する。
【００３９】
図１（Ｂ）に示すように、支持手段が３本の支持脚１３０ｂである場合には、可視光を遮光することはできないが、３本の支持脚があり、それらが同じ長さで携帯端末用筐体１２０を支える。３本の支持脚を撮像対象物に接触させることで、携帯端末１１０と撮像対象物との距離（支持脚の長さ）を一定にして撮像することができる。これにより、通常の視認できる２次元コードを撮像する際に手振れ等を防止でき、精度よく読みとることができる。また、支持脚１３０ｂの高さは図１（Ａ）の支持手段１３０ａと同様に、高さ調整ネジのように携帯端末用筐体１２０に支持脚１３０ｂを嵌めこむ構造とし、調整できる構成としてもよい。
【００４０】
また、通常の視認できるバーコード又は２次元コードの場合には、照射部１２３に紫外線照射手段ではなく、可視光線照射手段（白色ＬＥＤ）を使用し、支持脚を照射光の焦点距離以上の高さにして調整すれば、より精度よくバーコード又は２次元コードを読みとることができる。また、暗室のような暗い場所においても照射部１２３の照射光により、バーコード又は２次元コードを読みとることができる。
【００４１】
図１（Ｂ）では、支持手段の支持脚１３０ｂの３本が、携帯端末１１０の撮像部１１３の周りに配置されているが、携帯端末１１０と撮像対象物との距離が一定になるように携帯端末１１０を接触できれば、支持脚１３０ｂを２本または３本以上設置してもよい。また、支持脚１３０ｂの配置は、撮像部１１３の周りに限られず、例えば２本の支持脚１３０ｂを撮像部１１３の周りに配置し、１本の支持脚１３０ｂを電源収納部１３１上に配置してもよい。または２本の支持脚１３０ｂを撮像部１１３の周りに配置し、電源収納部１３１の高さを支持脚１３０ｂと同じ高さにすることで、携帯端末１１０と撮像対象物との距離が一定になるように携帯端末１１０を接触できる。
【００４２】
本実施例では、支持手段が、図１（Ａ）に示すような円筒状の支持手段１３０ａである場合の携帯端末用筐体１２０について説明する。
【００４３】
図２は、図１（Ａ）に示す携帯端末用筐体１２０をつけた携帯端末１１０のＡ方向断面図である。図２に示すように、携帯端末１１０は、携帯端末用筐体１２０に密着するように嵌っている。
【００４４】
電池収納部１３１の高さ（Ｈ１）と、支持手段１３０ａの高さ（Ｈ２）は、略同じになるように構成されている。このような構成とすることで、携帯端末用筐体１２０を装着した携帯電話１１０を２次元コードが印字されている面上に置くだけで、支持手段１３０ａを２次元コード印字面に容易に密着でき、遮光効果が高くなり、効率よくステルスインクで印字された２次元コードを読み取ることができる。
【００４５】
２次元コードの大きさによっては、携帯端末用筐体１２０を装着した携帯電話１１０を２次元コード面上に置いただけでは、焦点距離が合わず、読み取れない場合ある。その場合には、ユーザは携帯端末用筐体１２０をつけた携帯端末１１０を手に持ち、支持手段１３０ａの高さ（Ｈ２）を調整して、遮光状態を保ったまま読み取ることができる。前述のように、自動で焦点距離調整機能を持つリキッドレンズをレンズ１２５に使用した場合には、携帯端末用筐体１２０を装着した携帯端末１１０を２次元コードが印字されている面上に置いたままで焦点距離が調整でき、２次元コードを読み取ることができる。
【００４６】
図３（Ａ）は、図２に示す支持手段１３０ａをＢ方向から見た底面図であり、図３（Ｂ）は図２に示す支持手段１３０ａの正面図の断面図である。図３（Ａ）に示すように、携帯端末１１０の撮像部１１３を中心として、円筒状の支持手段１３０ａが設置され、支持手段１３０ａと撮像部１１３の間にフィルター１２４と、レンズ１２５が設置される。
【００４７】
支持手段１３０ａは厚みを持つ円筒（厚肉円筒）であり、その厚み上に紫外線ＬＥＤ１２３が複数個設置されている。紫外線ＬＥＤ１２３から照射される紫外線を２次元コードに均一に照射させるため、紫外線ＬＥＤ１２３の数は光を均一に照射させるため、３個以上の奇数個を等間隔で設置することが好ましい。紫外線ＬＥＤ１２３を偶数個にして等間隔で設置すると、対向に設置される紫外線ＬＥＤ１２３の光が干渉し、２次元コード上に均一に照射できなくなるからである。図３（Ａ）では、紫外線ＬＥＤ１２３を５個設置しているが、５個に限定されず、奇数個であればいくつ設置してもよい。
【００４８】
図３（Ｂ）は、支持手段１３０ａの正面図の断面図である。図３（Ｂ）に示すように円筒の支持手段１３０ａの円筒内には紫外線ＬＥＤ１２３が水平方向からの角度θで設置される。円筒内壁面には紫外線ＬＥＤ１２３の上側に光を鏡面反射する反射材（例えばアルミ）１２７が張られており、紫外線ＬＥＤ１２３の下側に光を拡散反射（乱反射）する反射材（例えば白い紙）１２８が張られている。
【００４９】
このような構成とすることで、紫外線ＬＥＤ１２３から照射された光が、線ＬＥＤ１２３の下側の反射材１２８で拡散反射され、その拡散反射された光が２次元コード上にむらなく照射される。また、線ＬＥＤ１２３の上側の反射材１２７は、拡散反射されて上側に照射された光を下側に戻すように鏡面反射する。
【００５０】
また、鏡面反射する反射材１２７又は拡散反射する反射材１２８のどちらか一方だけを張ってもよい。片方のみ張った場合には両方の反射材１２７,１２８を張った場合よりも、２次元コード上にむらなく光を照射する効果が弱まる。
【００５１】
紫外線ＬＥＤ１２３が設置される角度θは、支持手段１３０ａの径の大きさに応じて変更され、例えば直径４．５ｃｍの場合の角度θは１８度である。径の大きさに比例して角度θは小さくなる。このように角度を調整することで、紫外線ＬＥＤ１２３から照射された光が拡散反射する反射材１２８に照射されやすくなる。このようにして、２次元コード上にむらなく均一に紫外線ＬＥＤ１２３からの光を照射することができる。
【００５２】
また、図３（Ｂ）に示すように、支持手段１３０ａの円筒内には、携帯端末１１０の撮像部１１３の下にレンズ１２５とフィルター１２４が設置される。前述のように、フィルター１２４には、波長が４００ｎｍ以下の受光波をカットする機能を持つフィルターを使用する。さらに、フィルター１２４は、印字されている２次元コードの色によって、使い分けて使用するとより精度よく２次元コードを読み取ることができる。例えば、青のステルスインクで印字された２次元コードを読む場合には、波長が４００ｎｍから４５０ｎｍの範囲の受光波のみを透過させるフィルターを使用する。
【００５３】
また、携帯端末１１０の撮像部１１３にもその撮像光学系にカメラ用レンズは備わっているが、より読み取り精度を高くするため、レンズ１２５を設置する。レンズ１２５には、前述のように自動で焦点距離調整機能を持つリキッドレンズを使用してもよい。
【００５４】
図４は、図１に示す携帯端末用筐体を装着した携帯端末の内部の構成を示すブロック図である。図４に示すように本実施例の携帯端末用筐体を装着した携帯端末１００の構成を示すブロック図は、携帯端末用筐体１２０の構成を示すブロック図と、携帯端末１１０の構成を示すブロック図からなる。
【００５５】
携帯端末用筐体１２０は、前述のように、照射部１２３と、照射部の電源１２２と、電源１２２の入力部１２１と、フィルター１２４と、レンズ１２５から構成される。照射部１２３と、フィルター１２４と、レンズ１２５は、本実施例では円筒状の支持手段１３０ａ内部に設置される。照射部１２３の配線１２６は、例えば、支持手段１３０ａの外周壁で配線され、並列回路となっている。携帯端末用筐体１２０の電源１２２に、携帯端末１１０の電源１１１を使用せず、携帯端末用筐体１２０上に備える構成としているのは、照射部１２３の消費電力が大きいためである。携帯端末用筐体１２０の各構成部の詳細は図１から図３で説明したため、説明を省略する。
【００５６】
携帯端末１１０は、カメラの撮像部１１３を構成する撮像光学系１１４と撮像素子１１２と、画像処理部１０３と、表示部１０１と、制御部（ＣＰＵ）１０６と、記憶部１０９と、出力部１０４と入力部１０２と、電源１１１と、通信部１０５を構成する送信部１０７と受信部１０８から構成される。
【００５７】
撮像光学系１１４は、携帯端末用筐体１２０のフィルター１２４とレンズ１２５を介して、２次元コードなどの観察対象物を撮像素子１１２に結像するための光学系であり、レンズで構成される。撮像素子１１２は、結像され映像を撮像画像として撮像する素子であり、例えばＣＣＤやＣＭＯＳ等で構成される。撮像素子１１２で電気信号（アナログ信号）に変換された撮像画像は、アンプによって増幅され、アナログ／デジタル変換器（図示せず）によってデジタル信号に変換された後、画像処理部１０３又は表示部１０１に伝送される。
【００５８】
画像処理部１０３は、画像処理専用のＡＳＩＣなどのデジタル回路で構成される。このデジタル回路によって、色空間変換、ガンマ補正、収差の補正、ノイズリダクション、画像圧縮などの様々な画像処理が行なわれ、送信部１０７で送信する際に適した画像形式に変換される。画像処理部１０３は、図４に示すように携帯端末１１０内に構成してもよいし、外部（例えば、データを送信する先の外部システム）の構成としてもよい。
【００５９】
表示部１０１は、画像処理部１０３で処理された画像又は処理されていない撮像されたままの画像（画像処理部１０３を外部構成とした場合）や受信部１０８で受信したデータ等を表示する。また、送信部１０７で画像を送信する先の外部システムのアドレス等も表示する。表示部１０１に表示された画像やデータは、必要に応じていつでも使用できるように、記憶部１０９に保持される。
【００６０】
記憶部１０９は、撮影された画像及び撮像された日時や画像を送信する送信先のアドレス等のデータを保持する記録媒体（例えばフラッシュメモリ）を備える。記録媒体は、ＩＣチップによる携帯端末１１０に内蔵する形式でもよいし、メモリーカード等による携帯端末１１０に差し込む形式としてもよい。また記憶部１０９に保持された画像は出力部１０４の出力端子から取りだすことができる。さらに送信部１０７を介して、外部システムに記憶部１０９が保持している画像を送信できる。また、記憶部１０９には携帯端末１１０を構成する構成部を動作させるためのプログラムが格納されている。
【００６１】
入力部１０２は、携帯端末１１０の各種操作を行うためのインターフェイスとして動作する。入力部１０２はボタン式の入力手段とタッチパネル式の入力手段を備える。電源１１を入れる場合には、ボタン式の入力手段が使用され、それ以外の操作にはタッチパネル式の入力手段が使用される。本実施例では、入力部１０２を介して、撮像部１１３で画像を撮像する操作や撮像された画像の編集や送信部１０７で送信するための操作ができる。また、送信部１０７で画像を送信する先の外部システムのアドレスを設定やそのアドレスを記憶部１０９に保持させる操作もできる。
【００６２】
出力部１０４は、撮像された画像を記憶するメモリーカードを挿入する端子やＵＳＢ端子などの撮像画像のデータを出力する出力端子を備える。
【００６３】
制御部１０６は、ＣＰＵと、該ＣＰＵを動作させるための制御プロクラムを保持する不揮発性メモリと、ＣＰＵの動作に使用する揮発性メモリと、その他動作に必要な回路を有しており、携帯端末１１０の各構成部および全体に対する制御、さらには色々な演算や処理を行う。本実施例では、特に撮像部１１３と表示部１０１、通信部１０５を制御する。
【００６４】
通信部１０５は、送信部１０７と受信部１０８から構成される。送信部１０７と受信部１０８は、通信手段として例えばイーサーネットによって外部システムと通信を行う通信回路を備える。
【００６５】
電源１１１には、携帯端末１１０に内蔵または外付の電池が使用される。携帯端末１１０の上記の構成部のほとんどすべての機能が電子回路によって実現されており、消費電力が大きいため、専用の充電器で何度も充電できる充電式の電池が好ましい。携帯端末１１０の携帯性を考慮すると、携帯端末１１０に外付の電池よりも内蔵型電池の方が好ましい。
【００６６】
次に携帯端末用筐体１２０の使用方法を図４で説明した構成部と図５から図７を用いて説明する。
【００６７】
図５は、携帯端末用筐体１２０を装着した携帯端末１１０の使用イメージ図であり、図６は、携帯端末用筐体１２０を装着した携帯端末１１０が通信する外部システムのイメージ図である。図７は、携帯端末１１０に表示される２次元コード画像と製品情報の表示画像のイメージ図である。
【００６８】
以下、携帯端末用筐体１２０の使用方法を（１）２次元コードの読み取り、（２）２次元コード画像の外部システムへの送信、（３）外部システムから送られてきたデータの受信、（４）データの表示の順で説明する。
【００６９】
（１）２次元コードの読み取り
まず、携帯端末用筐体１２０を携帯端末１１０に装着させる。そして、図６に示すように２次元コード４１０が印字されている撮像対象物４００（ここでは、缶入飲料の商品とする）の２次元コード４１０上に支持手段１３０ａを密着させる（図５参照）。２次元コード４１０がステルスインクで印字されている場合には、ユーザは可視光で２次元コード４１０の位置を確認できないため、携帯端末用筐体１２０の入力部１２１を操作し、照射部１２３の電源１２２を入れる。照射部１２３は本実施例では紫外線ＬＥＤであるため、照射部１２３の紫外線（いわゆるブラックライト）を撮像対象物４００に照射することにより、ステルスインクで印字された２次元コード４１０の位置を確認することができる。
【００７０】
ステルスインクで印字された２次元コード４１０の位置が確認できた後、照射部１２３の電源１２２を入れたまま、２次元コード４１０上に支持手段１３０ａを接触させる。このとき支持手段１３０ａの外部の可視光を遮光するように２次元コード４１０の面と密着させることが好ましい。図５に示すように２次元コード４１０面上に支持手段１３０ａを接触した後、携帯端末１１０の入力部１０２を操作して電源１１１を入れ、入力部１０２を操作し撮像部１１３により撮像対象物４００の２次元コード４１０を撮像する。
【００７１】
２次元コード４１０の画像は、携帯端末用筐体１２０のフィルター１２４とレンズ１２５を介して、撮像部１１３で撮像され、撮像された画像は画像処理部１０３を介して（又は介さないで）、図７（Ａ）に示すように表示部１０１に表示される。また、撮像された画像は記憶部１０９に保持される。２次元コードの撮像が終了し、表示部１０１に画像が表示されたら、携帯端末用筐体１２０の入力部１２１を操作して照射部１２３の電源１２２をオフにする。
【００７２】
（２）２次元コード画像の外部システムへの送信
次に図７（Ａ）に示すように表示部１０１に表示された２次元コード４１０を携帯端末１１０の入力部１０２を操作して、外部システムに送信する操作を行なう。本実施例では、外部システムは図６に示す商品の個体管理システム３００（クラウドコンピューティングシステム）である。個体管理システム３００のアドレスを入力部１０２のタッチパネルで入力し、送信部１０８の通信回路を介してイーサーネット等によって個体管理システム３００に画像データを送信する。このとき、容量の大きな画像は送信に時間がかかり、通信費用もかかるため、容量の大きな画像を小さな画像に圧縮して送信してもよい。
【００７３】
個体管理システム３００のアドレスは、記憶部１０９で保持でき、再度、そのアドレスを使用したい場合には、記憶部１０９のデータを読み出して使用できる。
【００７４】
（３）外部システムから送られてきたデータの受信
個体管理システム３００のサーバは、携帯端末１１０からイーサーネット等を介して、商品の２次元コード画像４１０（図７（Ａ））を受信する。個体管理システム３００の解析部３１０は、２次元コード画像の画像処理を行ない、２次元コード画像をデコードして、商品の個別識別情報を復元する。次にアプリケーション処理部３１１が、その個体識別情報の記号又は数字がリンクした個別管理情報と、検査画像と、梱包情報と、をデータベース３１２から抽出する（特許文献２参照）。
【００７５】
ここで、上記個別管理情報として具体的に表示される内容は、品種コード、個体識別番号、製造年月日、製造場所、製造ラインロット、配送日、配送先などである。
【００７６】
そして、アプリケーション処理部３１１は、抽出した全ての個別管理情報（検査実績データ、検査画像データ）と、検査画像と、梱包情報（梱包実績データ、パレット情報）を携帯端末１１０に送信する。
【００７７】
携帯端末１１０は商品管理端末として、その商品の個別識別情報がリンクした個別管理情報と、検査画像と、梱包情報を個体管理システム３００から受信部１０８の通信回路を介して受信（ダウンロード）できる。
【００７８】
（４）データの表示
携帯端末１１０を商品管理端末として使用するユーザは、図７（Ｂ）に示すように個体管理システム３００からダウンロードした個別管理情報３１３および検査画像３１４を閲覧できる。また、ダウンロードした個別管理情報および検査画像を、必要に応じてテキストデータ、画像データ等として取得でき、記憶部１０９で保持する構成としてもよい。
【００７９】
また、ユーザは、個体管理システム３００からダウンロードした梱包情報を閲覧し、任意の商品（例えば、缶容器）が箱詰めされた梱包箱や、その梱包箱が含まれるパレットをパレット単位で特定できる。
【００８０】
以上説明してきたように本発明によれば、不可視インク（ステルスインク）で印字されている２次元コードを携帯端末で、容易にかつ精度よく読み取るための携帯端末用筐体及び携帯端末を提供することができる。
【００８１】
また、可視インクで印字されたバーコード又は２次元コードにおいても、携帯端末用筐体に、撮像対象商品に接触して固定化する支持手段が備えられており、また可視光線照射手段のＬＥＤも設置されているため、暗い場所においても安定してバーコード又は２次元コードを読み取ることができる。
【００８２】
なお、上述した実施例の携帯端末用筐体と携帯端末は、一例であり、その構成は、発明の趣旨を逸脱しない範囲で、適宜変更可能である。
【符号の説明】
【００８３】
１００…携帯端末用筐体を装着した携帯端末、１０１…表示部、１０２…入力部、１０３…画像処理部、１０４…出力部、１０５…通信部、１０６…制御部、１０７…送信部、１０８…受信部、１０９…記憶部、１１０…携帯端末、１１１…電源、１１２…撮像素子、１１３…撮像部、１１４…撮像光学系、１２０…携帯端末用筐体、１２１…入力部、１２２…電源、１２３…照射部，紫外線ＬＥＤ、１２４…フィルター、１２５…レンズ、１２６…配線、１２７，１２８…反射材、１３０ａ…円筒状の支持手段、１３０ｂ…支持脚、１３１…電池収納部、３００…個体管理システム、３１０…解析部、３１１…アプリケーション処理、３１２…データベース、３１３…個別管理情報、３１４…検査画像、３１５…梱包情報、４００…撮像対象物、４１０…２次元コード。
【要約】
【課題】可視又は不可視インクで印字されているバーコード又は２次元コードを携帯端末で、容易にかつ精度よく読み取るための携帯端末用筐体及びそれを装着した携帯端末を提供する。
【解決手段】本発明の携帯端末用筐体は、可視又は不可視インクで印字されているバーコード又は２次元コードに光を照射してバーコード又は２次元コードを撮像し、データを送信及び受信して表示する携帯端末に着脱可能な携帯端末用筐体であって、バーコード又は２次元コードに光を照射する照射部と、照射部の電源と、携帯端末の撮像部の周りに配置され、筒または２本以上の支持脚である支持手段と、を備えることを特徴とする。
【選択図】図１【図１】
0005431605.tif 000002
【図２】
0005431605.tif 000003
【図３】
0005431605.tif 000004
【図４】
0005431605.tif 000005
【図５】
0005431605.tif 000006
【図６】
0005431605.tif 000007
【図７】
0005431605.tif 000008